(57)【要約】【課題】  音楽、映画著作物、コマーシャル等の断片情報である時系列データの一部により利用者の知りたい情報を容易且つ迅速に検索して配信することを可能にする。【解決手段】  時系列データの一部を検索鍵として該時系列データに関連する情報を検索する情報検索サーバに対して、ネットワークで接続された利用者の端末から利用者がアクセスして検索を行う。情報検索サーバは検索結果として、楽曲の名前、映画の題名、或いはコマーシャルで放送された商品名などを前記ネットワークを介して利用者の端末に配信し、検索提供者は利用者から該検索の対価を収受する。【選択図】  図１
2005025770.tif 000002
【特許請求の範囲】
【請求項１】
利用者が指定した検索鍵を用いて蓄積された情報を検索し、検索結果を提示することによる検索サービスの配信方法において、
情報提供者が提供した時系列データに関連する商品情報を蓄積する情報蓄積過程と、
前記時系列データの一部または全部の特徴時系列を蓄積する時系列信号特徴蓄積過程と、
前記利用者が指定した時系列データの断片を受理する検索鍵時系列信号入力過程と、
前記入力された検索鍵時系列データから該検索鍵時系列データを表現する特徴を導く特徴計算過程と、
前記時系列信号特徴蓄積過程に蓄積された特徴の一部または全部と、前記特徴計算過程で導かれた特徴の一部または全部を照合する特徴照合過程と、
前記特徴照合過程における照合結果に基づいて前記情報蓄積過程で蓄積された情報の中から出力すべき情報を選択する検索情報選択過程と、
前記検索情報選択過程における検索情報選択結果に基づいて検索結果を提示する情報提示過程とを備える情報検索方法を用いることによって、
該検索サービスにかかる事業者は、前記利用者が時系列データの断片を検索鍵として検索を行った際、該時系列データに関連する商品情報を提示し、該利用者に対して該商品の購入を促すことにより前記情報提供者から該情報提供の対価を収受することを特徴とする検索サービスの配信方法。
【請求項２】
利用者が指定した検索鍵を用いて蓄積された情報を検索し、検索結果を提示することによる検索サービスの配信方法において、
時系列データに関連する商品情報を蓄積する情報蓄積過程と、
前記時系列データの一部または全部の特徴時系列を蓄積する時系列信号特徴蓄積過程と、
前記利用者が指定した時系列データの断片を受理する検索鍵時系列信号入力過程と、
前記入力された検索鍵時系列データから該検索鍵時系列データを表現する特徴を導く特徴計算過程と、
前記時系列信号特徴蓄積過程に蓄積された特徴の一部または全部と、
前記特徴計算過程で導かれた特徴の一部または全部を照合する特徴照合過程と、
前記特徴照合過程における照合結果に基づいて前記情報蓄積過程で蓄積された情報の中から出力すべき情報を選択する検索情報選択過程と、
前記検索情報選択過程における検索情報選択結果に基づいて検索結果を提示する情報提示過程とを備える情報検索方法を用いることによって、
前記利用者が、時系列データの断片を検索鍵として検索を行った際、該時系列データに関連する商品情報を提示し、該利用者に対して該商品の購入を促すことにより、該商品の販売利潤の増大を図ることを特徴とする検索サービスの配信方法。
【請求項３】
前記時系列データは音楽であることを特徴とする請求項１または２に記載の検索サービスの配信方法。
【請求項４】
前記時系列データは映像著作物であることを特徴とする請求項１または２に記載の検索サービスの配信方法。
【請求項５】
前記時系列データはコマーシャルであることを特徴とする請求項１または２に記載の検索サービスの配信方法。
【請求項６】
前記情報検索方法における情報蓄積過程は、コンピュータネットワーク上に分散して接続された複数のコンピュータが有する情報蓄積装置であることを特徴とする請求項１乃至５のいずれかに記載の検索サービスの配信方法。
【請求項７】
時系列データの名称および該時系列データに関連する情報を蓄積した情報蓄積手段と、
前記時系列データの一部または全部の特徴時系列を蓄積した時系列信号特徴蓄積手段と、
前記利用者が指定した時系列データの断片を受理する機能を有する検索鍵時系列信号入力手段と、
前記入力された検索鍵時系列データから該検索鍵時系列データを表現する特徴を導く特徴計算手段と、
前記時系列信号特徴蓄積手段に蓄積された特徴の一部または全部と前記特徴計算手段で導かれた特徴の一部または全部を照合する特徴照合手段と、
前記特徴照合手段における照合結果に基づいて前記情報蓄積手段で蓄積された情報の中から出力すべき情報を選択する検索情報選択手段と、
前記検索情報選択手段における検索情報選択結果に基づいて検索結果を提示する情報提示手段と、
を具備することを特徴とする情報検索装置。
【請求項８】
時系列データの断片を検索鍵として前記時系列データの関連情報を検索して出力する情報検索装置と、
利用者が使用する端末装置と、
前記情報検索装置と前記端末装置とを接続するネットワークとを具備し、
前記利用者が前記端末装置から前記ネットワークを介して前記情報検索装置にアクセスして時系列データの断片を検索鍵として検索を行うと、前記情報検索装置は前記検索結果を前記ネットワークを介して前記端末装置に送信することを特徴とする検索サービスの配信システム。
【請求項９】
前記端末装置は携帯電話であることを特徴とする請求項８記載の検索サービスの配信システム。
【請求項１０】
時系列データに関連する付随情報を予め蓄積している情報蓄積手段と、
利用者の端末から入力される時系列データ又は該時系列データを表現した検索時系列信号特徴データの少なくとも一方に基づき、前記情報蓄積手段に記憶されている前記付随情報の中から検索を行って検索された付随情報を出力する検索手段と
を具備することを特徴とする情報検索装置。
【請求項１１】
前記検索手段は、
前記時系列データを受信する検索鍵入力手段と、
該検索鍵入力手段が受信した時系列データに基づいて、該時系列データを表現した検索時系列信号特徴データを算出する特徴計算手段と、
該検索時系列信号特徴データと比較を行うための時系列信号特徴データを予め蓄積している時系列信号特徴蓄積手段と、
前記検索時系列信号特徴データを前記時系列信号特徴蓄積手段に蓄積されている前記時系列信号特徴データから検索する特徴照合手段と、
該特徴照合手段の照合結果に基づいて、前記情報蓄積手段に蓄積されている付随情報を選択する検索情報選択手段と、
該検索情報選択手段が選択した付随情報を出力する情報提示手段と
を具備することを特徴とする請求項１０記載の情報検索装置。
【請求項１２】
前記検索鍵入力手段に入力されたデータの種類を判別し、該入力されたデータが前記検索時系列信号特徴データである場合に、該検索時系列信号特徴データを前記特徴照合手段に出力するデータ判別手段を具備し、前記特徴計算手段を介さずに検索を行うことを特徴とする請求項１１記載の情報検索装置。
【請求項１３】
前記検索手段は、
前記時系列データを表現した検索時系列信号特徴データを受信する検索鍵入力手段と、
該検索時系列信号特徴データと比較を行うための時系列信号特徴データを予め蓄積している時系列信号特徴蓄積手段と、
前記検索時系列信号特徴データを前記時系列信号特徴蓄積手段に蓄積されている前記時系列信号特徴データから検索する特徴照合手段と、
該特徴照合手段の照合結果に基づいて、前記情報蓄積手段に蓄積されている付随情報を選択する検索情報選択手段と、
該検索情報選択手段が選択した付随情報を出力する情報提示手段と
を具備することを特徴とする請求項１０記載の情報検索装置。
【請求項１４】
情報提供者の端末から時系列データおよび該時系列データに関連する付随情報を受信した場合、受信した時系列データから算出した時系列信号特徴データ、および、受信した前記付随情報により、前記時系列信号特徴蓄積手段に蓄積されている時系列信号特徴データおよび前記情報蓄積手段に蓄積されている付随情報の追加を行い、
時系列信号特徴データおよび付随情報の削除を指示する信号、および、削除すべき時系列信号特徴データおよび付随情報を特定するためのデータを前記情報提供者の端末から受信した場合、該削除すべき時系列信号特徴データおよび付随情報を前記時系列信号特徴蓄積手段および前記情報蓄積手段からそれぞれ削除する情報更新手段を更に具備し、前記利用者へ提供される前記付随情報の更新を行うことを特徴とする請求項１１又は１３記載の情報検索装置。
【請求項１５】
前記情報更新手段は、受信したデータの種類を判別し、該受信したデータが時系列信号特徴データである場合に、受信した時系列信号特徴データおよび前記付随情報により追加を行うことを特徴とする請求項１４記載の情報検索装置。
【請求項１６】
情報提供者の端末から時系列信号特徴データおよび該時系列信号特徴データに関連する付随情報を受信した場合、受信した時系列信号特徴データおよび前記付随情報により、前記時系列信号特徴蓄積手段に蓄積されている時系列信号特徴データおよび前記情報蓄積手段に蓄積されている付随情報の追加を行い、
時系列信号特徴データおよび付随情報の削除を指示する信号、および、削除すべき時系列信号特徴データおよび付随情報を特定するためのデータを前記情報提供者の端末から受信した場合、該削除すべき時系列信号特徴データおよび付随情報を前記時系列信号特徴蓄積手段および前記情報蓄積手段からそれぞれ削除する情報更新手段を更に具備し、前記利用者へ提供される前記付随情報の更新を行うことを特徴とする請求項１１又は１３記載の情報検索装置。
【請求項１７】
情報提供者が提供する請求項６又は７記載の情報検索装置と、
利用者の端末と前記情報検索装置との間で情報の送受信を行う通信装置と、
を具備し、前記利用者の端末から入力された時系列データ又は時系列信号特徴データの少なくとも一方に基づいて、該入力された時系列データ又は時系列信号特徴データに関連する付随情報を前記利用者に提供することを特徴とする情報検索サーバ。
【請求項１８】
前記情報蓄積手段は商品に関する商品情報を含む付随情報を蓄積しており、
前記利用者の端末から送信される商品購入情報を受信する購入情報受信手段と、
該購入情報受信手段で受信した前記商品購入情報を前記情報提供者の端末に送信する購入情報送信手段と
を備えた商品購入装置を更に具備し、前記利用者が前記情報検索装置の送信する前記検索結果に基づいて前記商品を購入するための情報を提供することを特徴とする請求項１７記載の情報検索サーバ。
【請求項１９】
前記利用者の登録及び認証を行う利用者登録・認証手段を更に具備し、
前記商品購入装置は、前記利用者登録・認証手段による登録及び認証の結果に基づいて、登録を許された利用者の端末のみに対して前記商品の購入に関わる情報を出力することを特徴とする請求項１８記載の情報検索サーバ。
【請求項２０】
前記利用者の端末が前記情報検索装置を利用する度合いに応じた利用対価を算出し、該利用対価を前記利用者から徴収するために該利用対価を前記利用者の端末に提示する利用対価算出装置を更に具備することを特徴とする請求項１７記載の情報検索サーバ。
【請求項２１】
前記利用対価算出装置は、前記利用者の端末から送信されたデータの送信回数及び送信データ量の少なくとも一方に基づいて、前記利用対価を算出することを特徴とする請求項２０に記載の情報検索サーバ。
【請求項２２】
前記利用者の端末が前記情報検索装置を利用する度合いに応じた前記情報提供者への情報提供の対価を算出し、該情報提供の対価を前記情報提供者から徴収するために該情報提供の対価を前記情報提供者に提示する情報提供対価算出装置を更に具備することを特徴とする請求項１７記載の情報検索サーバ。
【請求項２３】
前記情報提供対価算出装置は、前記利用者の端末に送信した購入情報の送信回数および商品の購入金額の少なくとも一方に基づいて、前記情報提供の対価を算出することを特徴とする請求項２２記載の情報検索サーバ。
【請求項２４】
時系列データに関連する付随情報を予め蓄積しておく情報蓄積処理と、
利用者の端末から入力される時系列データ又は該時系列データを表現した検索時系列信号特徴データの少なくとも一方に基づき、予め蓄積しておいた前記付随情報の中から検索を行って検索された付随情報を出力する検索処理と
を具備することを特徴とする情報検索方法。
【請求項２５】
前記検索処理は、
前記時系列データを受信する検索鍵入力処理と、
該検索鍵入力処理において受信した時系列データに基づいて、該時系列データを表現した検索時系列信号特徴データを算出する特徴計算処理と、
該検索時系列信号特徴データと比較を行うための時系列信号特徴データを予め蓄積しておく時系列信号特徴蓄積処理と、
前記検索時系列信号特徴データを予め蓄積しておいた前記時系列信号特徴データから検索する特徴照合処理と、
該特徴照合処理の照合結果に基づいて、予め蓄積しておいた前記付随情報を選択する検索情報選択処理と、
該検索情報選択処理において選択した付随情報を出力する情報提示処理と
を具備することを特徴とする請求項２４記載の情報検索方法。
【請求項２６】
検索鍵入力処理において入力されたデータの種類を判別し、該入力されたデータが前記検索時系列信号特徴データである場合に、該検索時系列信号特徴データを前記特徴照合処理に出力するデータ判別処理を具備し、前記特徴計算処理を迂回して検索を行うことを特徴とする請求項２５記載の情報検索方法。
【請求項２７】
前記検索処理は、
前記時系列データを表現した検索時系列信号特徴データを受信する検索鍵入力処理と、
該検索時系列信号特徴データと比較を行うための時系列信号特徴データを予め蓄積しておく時系列信号特徴蓄積処理と、
前記検索時系列信号特徴データを予め蓄積しておいた前記時系列信号特徴データから検索する特徴照合処理と、
該特徴照合処理の照合結果に基づいて、予め蓄積しておいた前記付随情報を選択する検索情報選択処理と、
該検索情報選択処理において選択した付随情報を出力する情報提示処理と
を具備することを特徴とする請求項２４記載の情報検索方法。
【請求項２８】
情報提供者の端末から時系列データおよび該時系列データに関連する付随情報を受信した場合、受信した時系列データから時系列信号特徴データを算出する処理と、該時系列信号特徴データおよび受信した前記付随情報により、蓄積されている前記時系列信号特徴データおよび前記付随情報の追加を行う処理とを実行し、
時系列信号特徴データおよび付随情報の削除を指示する信号、および、削除すべき時系列信号特徴データおよび付随情報を特定するためのデータを前記情報提供者の端末から受信した場合、該削除すべき時系列信号特徴データおよび付随情報を蓄積されている時系列信号特徴データおよび付随情報からそれぞれ削除する処理を実行する情報更新処理を更に具備し、前記利用者へ提供される前記付随情報の更新を行うことを特徴とする請求項２５又は２７記載の情報検索方法。
【請求項２９】
前記情報更新処理は、
受信したデータの種類を判別し、該受信したデータが時系列信号特徴データである場合に、受信した時系列信号特徴データおよび前記付随情報により追加を行うことを特徴とする請求項２８記載の情報検索方法。
【請求項３０】
情報提供者の端末から時系列信号特徴データおよび該時系列信号特徴データに関連する付随情報を受信した場合、受信した時系列信号特徴データおよび前記付随情報により、蓄積されている時系列信号特徴データおよび付随情報の追加を行う処理を実行し、
時系列信号特徴データおよび付随情報の削除を指示する信号、および、削除すべき時系列信号特徴データおよび付随情報を特定するためのデータを前記情報提供者の端末から受信した場合、該削除すべき時系列信号特徴データおよび付随情報を蓄積されている時系列信号特徴データおよび付随情報からそれぞれ削除する処理を実行する情報更新処理を更に具備し、前記利用者へ提供される前記付随情報の更新を行うことを特徴とする請求項２５又は２７記載の情報検索方法。
【請求項３１】
前記利用者の端末から入力された時系列データ又は時系列信号特徴データの少なくとも一方に基づいて、請求項２４又は２５に記載された情報検索方法に従った処理を行い、該入力された時系列データ又は時系列信号特徴データに関連する付随情報を前記利用者に提供することを特徴とする検索サービス提供方法。
【請求項３２】
前記付随情報は商品に関する商品情報を含んでおり、
前記利用者の端末から送信される商品購入情報を受信する購入情報受信処理と、
該購入情報受信処理において受信した前記商品購入情報を前記情報提供者の端末に送信する購入情報送信処理と
を有する商品購入処理を更に具備し、前記利用者が前記情報検索方法により得られる前記検索結果に基づいて前記商品を購入するための情報を提供することを特徴とする請求項３１記載の検索サービス提供方法。
【請求項３３】
前記利用者の登録及び認証を行う利用者登録・認証処理を更に具備し、
前記商品購入処理において、前記利用者登録・認証処理による登録及び認証の結果に基づいて、登録を許された利用者の端末のみに対して前記商品の購入に関わる情報を出力することを特徴とする請求項３２記載の検索サービス提供方法。
【請求項３４】
前記利用者の端末が前記情報検索方法を用いた情報検索を利用する度合いに応じた利用対価を算出し、前記利用者から徴収するために該利用対価を前記利用者の端末に提示する利用対価算出処理を更に具備することを特徴とする請求項３１記載の検索サービス提供方法。
【請求項３５】
前記利用対価算出処理では、前記利用者の端末から送信されたデータの送信回数及び送信データ量の少なくとも一方に基づいて、前記利用対価を算出することを特徴とする請求項３４に記載の検索サービス提供方法。
【請求項３６】
前記利用者の端末が前記情報検索方法を用いた情報検索を利用する度合いに応じた前記情報提供者への情報提供の対価を算出し、該情報提供の対価を前記情報提供者から徴収するために該情報提供の対価を前記情報提供者に提示する情報提供対価算出処理を更に具備することを特徴とする請求項３１記載の検索サービス提供方法。
【請求項３７】
前記情報提供対価算出処理では、前記利用者の端末に送信した購入情報の送信回数および商品の購入金額の少なくとも一方に基づいて、前記情報提供の対価を算出することを特徴とする請求項３６に記載の検索サービス提供方法。
【請求項３８】
前記付随情報は、電波またはケーブルまたは計算機ネットワークを介して放送された番組において使用された曲に関する使用曲情報であり、
前記時系列データは、該番組または該番組の合間に流されるコマーシャルの一部である断片情報であり、
前記利用者の端末から入力された時系列データに関連する前記使用曲情報を前記利用者の端末に通知することを特徴とする請求項２４記載の情報検索方法。
【請求項３９】
前記付随情報は、電波またはケーブルまたは計算機ネットワークを介して放送された番組の提供者が提供する商品に関する商品情報であり、
前記時系列データは、該番組または該番組の合間に流されるコマーシャルの一部である断片情報であり、
前記利用者の端末から入力された時系列データに関連する前記商品情報を前記利用者の端末に通知することを特徴とする請求項２４記載の情報検索方法。
【請求項４０】
前記付随情報は、ＣＤまたはビデオに関する商品情報であり、
前記時系列データは、該ＣＤに収録されている音楽または該ビデオに収録されている音または映像の断片情報であり、
前記利用者の端末から入力された時系列データに関連する前記商品情報を前記利用者の端末に通知することを特徴とする請求項２４記載の情報検索方法。
【請求項４１】
前記時系列データは音響信号を含んでいることを特徴とする請求項２４記載の情報検索方法。
【請求項４２】
前記時系列データは映像信号を含んでいることを特徴とする請求項２４記載の情報検索方法。
【請求項４３】
前記利用者の端末である携帯電話から送られる前記時系列データ又は前記時系列信号特徴データの少なくとも一方を受信することを特徴とする請求項２４記載の情報検索方法。
【請求項４４】
時系列データに関連する付随情報を予め蓄積しておく情報蓄積処理と、
利用者の端末から入力される時系列データ又は該時系列データを表現した検索時系列信号特徴データの少なくとも一方に基づき、予め蓄積しておいた前記付随情報の中から検索を行って検索された付随情報を出力する検索処理と
をコンピュータに実行させるためのプログラム。
【請求項４５】
前記検索処理は、
前記時系列データを受信する検索鍵入力処理と、
該検索鍵入力処理において受信した時系列データに基づいて、該時系列データを表現した検索時系列信号特徴データを算出する特徴計算処理と、
該検索時系列信号特徴データと比較を行うための時系列信号特徴データを予め蓄積しておく時系列信号特徴蓄積処理と、
前記検索時系列信号特徴データを予め蓄積しておいた前記時系列信号特徴データから検索する特徴照合処理と、
該特徴照合処理の照合結果に基づいて、予め蓄積しておいた前記付随情報を選択する検索情報選択処理と、
該検索情報選択処理において選択した付随情報を出力する情報提示処理と
を具備することを特徴とする請求項４４記載のプログラム。
【請求項４６】
請求項４４又は４５に記載されたプログラムを記録したコンピュータ読み取り可能な記録媒体。
【発明の詳細な説明】
【技術分野】
【０００１】
本発明は、音楽の情報及び歌手の情報やＣＤ（コンパクト・ディスク）などに記録された時系列データに関連する商品情報のような、時系列データに付随する情報（以下、「付随情報」という）を蓄積したデータベースから、利用者が検索鍵として指定した具体的なメディア情報の断片を検索し、該当する情報を利用者に配信する情報検索システムに関し、特に、該システムで用いられる情報検索装置および該装置を用いた情報検索サーバ、ならびに、情報検索方法および検索サービス提供方法ならびに該方法を実現するためのプログラムおよび該プログラムを記録した記録媒体に関する。
【背景技術】
【０００２】
従来から、例えば、歌手の情報及びＣＤなどに記録された時系列データである音楽に関連する商品情報のような予め定めた時系列データに付随する情報を蓄積したデータベースの検索を行うことがなされている。そのような場合の情報検索方法に関しては、文字列、数、及び記号を検索鍵として用いる方法や、予め定めた選択肢を利用者に選択させることによる情報検索方法が知られている（例えば、特許文献１，２，３，４参照）。
【特許文献１】特開平１１−２８２８５７号公報
【特許文献２】特開平１１−１２０１９８号公報
【特許文献３】特開２０００−１０９８９号公報
【特許文献４】特開平１０−１５４１４９号公報
【発明の開示】
【発明が解決しようとする課題】
【０００３】
しかし、上記のような従来の情報検索方法では、利用者が、所要の情報に対応する文字列情報、数、記号等が分かっていない場合や、予め選択肢を用意し難い場合においては、有効な検索が行い難いという欠点があり、従って、このような情報検索方法を用いて情報を配信する営業形態の有効性は限られていた。
【０００４】
例えば、従来の情報検索方法を用いる検索サービスの配信方法では、（１）曲名の分からない音楽に関する情報を音楽の断片を用いて検索したい場合、（２）題名の分からない映画に関する情報を映画の断片を用いて検索したい場合、及び（３）コマーシャルの断片を用いて該コマーシャルにかかる商品のより詳細な情報を検索したい場合などにおいて、十分な効果をもった検索サービスの配信を行うことができなかった。
【０００５】
本発明は、上記のような従来の課題を解決するためになされたものであり、音楽、映画の著作物、コマーシャル等の断片情報である時系列データの一部により利用者の知りたい情報を容易且つ迅速に検索して配信するための情報検索システムで用いられる情報検索装置および該装置を用いた情報検索サーバ、ならびに、情報検索方法および該方法を実現するためのプログラムおよび該プログラムを記録した記録媒体を提供することを目的としている。
【課題を解決するための手段】
【０００６】
上記目的を達成するために、請求項１の発明の特徴は、利用者が指定した検索鍵を用いて蓄積された情報を検索し、検索結果を提示することによる検索サービスの配信方法において、情報提供者が提供した時系列データに関連する商品情報を蓄積する情報蓄積過程と、前記時系列データの一部または全部の特徴時系列を蓄積する時系列信号特徴蓄積過程と、前記利用者が指定した時系列データの断片を受理する検索鍵時系列信号入力過程と、前記入力された検索鍵時系列データから該検索鍵時系列データを表現する特徴を導く特徴計算過程と、前記時系列信号特徴蓄積過程に蓄積された特徴の一部または全部と、前記特徴計算過程で導かれた特徴の一部または全部を照合する特徴照合過程と、前記特徴照合過程における照合結果に基づいて前記情報蓄積過程で蓄積された情報の中から出力すべき情報を選択する検索情報選択過程と、前記検索情報選択過程における検索情報選択結果に基づいて検索結果を提示する情報提示過程とを備える情報検索方法を用いることによって、該検索サービスにかかる事業者は、前記利用者が時系列データの断片を検索鍵として検索を行った際、該時系列データに関連する商品情報を提示し、該利用者に対して該商品の購入を促すことにより前記情報提供者から該情報提供の対価を収受することにある。
【０００７】
請求項２の発明の特徴は、利用者が指定した検索鍵を用いて蓄積された情報を検索し、検索結果を提示することによる検索サービスの配信方法において、時系列データに関連する商品情報を蓄積する情報蓄積過程と、前記時系列データの一部または全部の特徴時系列を蓄積する時系列信号特徴蓄積過程と、前記利用者が指定した時系列データの断片を受理する検索鍵時系列信号入力過程と、前記入力された検索鍵時系列データから該検索鍵時系列データを表現する特徴を導く特徴計算過程と、前記時系列信号特徴蓄積過程に蓄積された特徴の一部または全部と、前記特徴計算過程で導かれた特徴の一部または全部を照合する特徴照合過程と、前記特徴照合過程における照合結果に基づいて前記情報蓄積過程で蓄積された情報の中から出力すべき情報を選択する検索情報選択過程と、前記検索情報選択過程における検索情報選択結果に基づいて検索結果を提示する情報提示過程とを備える情報検索方法を用いることによって、前記利用者が、時系列データの断片を検索鍵として検索を行った際、該時系列データに関連する商品情報を提示し、該利用者に対して該商品の購入を促すことにより、該商品の販売利潤の増大を図ることにある。
【０００８】
請求項３の発明の特徴は、前記時系列データは音楽であることを特徴とする。
請求項４の発明の特徴は、前記時系列データは映像著作物であることを特徴とする。
請求項５の発明の特徴は、前記時系列データはコマーシャルであることを特徴とする。
請求項６の発明の特徴は、前記情報検索方法における情報蓄積過程は、コンピュータネットワーク上に分散して接続された複数のコンピュータが有する情報蓄積装置であることを特徴とする。
【０００９】
請求項７の発明の特徴は、時系列データの名称および該時系列データに関連する情報を蓄積した情報蓄積手段と、前記時系列データの一部または全部の特徴時系列を蓄積した時系列信号特徴蓄積手段と、前記利用者が指定した時系列データの断片を受理する機能を有する検索鍵時系列信号入力手段と、前記入力された検索鍵時系列データから該検索鍵時系列データを表現する特徴を導く特徴計算手段と、前記時系列信号特徴蓄積手段に蓄積された特徴の一部または全部と前記特徴計算手段で導かれた特徴の一部または全部を照合する特徴照合手段と、前記特徴照合手段における照合結果に基づいて前記情報蓄積手段で蓄積された情報の中から出力すべき情報を選択する検索情報選択手段と、前記検索情報選択手段における検索情報選択結果に基づいて検索結果を提示する情報提示手段と、を具備することにある。
【００１０】
請求項８の発明の特徴は、時系列データの断片を検索鍵として前記時系列データの関連情報を検索して出力する情報検索装置と、利用者が使用する端末装置と、前記情報検索装置と前記端末装置とを接続するネットワークとを具備し、前記利用者が前記端末装置から前記ネットワークを介して前記情報検索装置にアクセスして時系列データの断片を検索鍵として検索を行うと、前記情報検索装置は前記検索結果を前記ネットワークを介して前記端末装置に送信することにある。
請求項９の発明の前記端末装置は携帯電話であることを特徴とする。
【００１１】
請求項１０の発明の特徴は、時系列データに関連する付随情報を予め蓄積している情報蓄積手段と、利用者の端末から入力される時系列データ又は該時系列データを表現した検索時系列信号特徴データの少なくとも一方に基づき、前記情報蓄積手段に記憶されている前記付随情報の中から検索を行って検索された付随情報を出力する検索手段とを具備することにある。
【００１２】
請求項１１の発明の特徴は、前記検索手段は、前記時系列データを受信する検索鍵入力手段と、該検索鍵入力手段が受信した時系列データに基づいて、該時系列データを表現した検索時系列信号特徴データを算出する特徴計算手段と、該検索時系列信号特徴データと比較を行うための時系列信号特徴データを予め蓄積している時系列信号特徴蓄積手段と、前記検索時系列信号特徴データを前記時系列信号特徴蓄積手段に蓄積されている前記時系列信号特徴データから検索する特徴照合手段と、該特徴照合手段の照合結果に基づいて、前記情報蓄積手段に蓄積されている付随情報を選択する検索情報選択手段と、該検索情報選択手段が選択した付随情報を出力する情報提示手段とを具備することにある。
【００１３】
請求項１２の発明の特徴は、前記検索鍵入力手段に入力されたデータの種類を判別し、該入力されたデータが前記検索時系列信号特徴データである場合に、該検索時系列信号特徴データを前記特徴照合手段に出力するデータ判別手段を具備し、前記特徴計算手段を介さずに検索を行うことにある。
【００１４】
請求項１３の発明の特徴は、前記検索手段は、前記時系列データを表現した検索時系列信号特徴データを受信する検索鍵入力手段と、該検索時系列信号特徴データと比較を行うための時系列信号特徴データを予め蓄積している時系列信号特徴蓄積手段と、前記検索時系列信号特徴データを前記時系列信号特徴蓄積手段に蓄積されている前記時系列信号特徴データから検索する特徴照合手段と、該特徴照合手段の照合結果に基づいて、前記情報蓄積手段に蓄積されている付随情報を選択する検索情報選択手段と、該検索情報選択手段が選択した付随情報を出力する情報提示手段とを具備することにある。
【００１５】
請求項１４の発明の特徴は、情報提供者の端末から時系列データおよび該時系列データに関連する付随情報を受信した場合、受信した時系列データから算出した時系列信号特徴データ、および、受信した前記付随情報により、前記時系列信号特徴蓄積手段に蓄積されている時系列信号特徴データおよび前記情報蓄積手段に蓄積されている付随情報の追加を行い、時系列信号特徴データおよび付随情報の削除を指示する信号、および、削除すべき時系列信号特徴データおよび付随情報を特定するためのデータを前記情報提供者の端末から受信した場合、該削除すべき時系列信号特徴データおよび付随情報を前記時系列信号特徴蓄積手段および前記情報蓄積手段からそれぞれ削除する情報更新手段を更に具備し、前記利用者へ提供される前記付随情報の更新を行うにある。
【００１６】
請求項１５の発明の特徴は、前記情報更新手段は、受信したデータの種類を判別し、該受信したデータが時系列信号特徴データである場合に、受信した時系列信号特徴データおよび前記付随情報により追加を行うことにある。
【００１７】
請求項１６の発明の特徴は、情報提供者の端末から時系列信号特徴データおよび該時系列信号特徴データに関連する付随情報を受信した場合、受信した時系列信号特徴データおよび前記付随情報により、前記時系列信号特徴蓄積手段に蓄積されている時系列信号特徴データおよび前記情報蓄積手段に蓄積されている付随情報の追加を行い、時系列信号特徴データおよび付随情報の削除を指示する信号、および、削除すべき時系列信号特徴データおよび付随情報を特定するためのデータを前記情報提供者の端末から受信した場合、該削除すべき時系列信号特徴データおよび付随情報を前記時系列信号特徴蓄積手段および前記情報蓄積手段からそれぞれ削除する情報更新手段を更に具備し、前記利用者へ提供される前記付随情報の更新を行うにある。
【００１８】
請求項１７の発明の特徴は、情報提供者が提供する請求項１１又は１２記載の情報検索装置と、利用者の端末と前記情報検索装置との間で情報の送受信を行う通信装置と、を具備し、前記利用者の端末から入力された時系列データ又は時系列信号特徴データの少なくとも一方に基づいて、該入力された時系列データ又は時系列信号特徴データに関連する付随情報を前記利用者に提供することにある。
【００１９】
請求項１８の発明の特徴は、前記情報蓄積手段は商品に関する商品情報を含む付随情報を蓄積しており、前記利用者の端末から送信される商品購入情報を受信する購入情報受信手段と、該購入情報受信手段で受信した前記商品購入情報を前記情報提供者の端末に送信する購入情報送信手段とを備えた商品購入装置を更に具備し、前記利用者が前記情報検索装置の送信する前記検索結果に基づいて前記商品を購入するための情報を提供することを特徴としている。
【００２０】
請求項１９の発明の特徴は、前記利用者の登録及び認証を行う利用者登録・認証手段を更に具備し、前記商品購入装置は、前記利用者登録・認証手段による登録及び認証の結果に基づいて、登録を許された利用者の端末のみに対して前記商品の購入に関わる情報を出力することにある。
【００２１】
請求項２０の発明の特徴は、前記利用者の端末が前記情報検索装置を利用する度合いに応じた利用対価を算出し、該利用対価を前記利用者から徴収するために該利用対価を前記利用者の端末に提示する利用対価算出装置を更に具備することにある。
【００２２】
請求項２１の発明の特徴は、前記利用対価算出装置は、前記利用者の端末から送信されたデータの送信回数及び送信データ量の少なくとも一方に基づいて、前記利用対価を算出することにある。
【００２３】
請求項２２の発明の特徴は、前記利用者の端末が前記情報検索装置を利用する度合いに応じた前記情報提供者への情報提供の対価を算出し、該情報提供の対価を前記情報提供者から徴収するために該情報提供の対価を前記情報提供者に提示する情報提供対価算出装置を更に具備することにある。
【００２４】
請求項２３の発明の特徴は、前記情報提供対価算出装置は、前記利用者の端末に送信した購入情報の送信回数および商品の購入金額の少なくとも一方に基づいて、前記情報提供の対価を算出することにある。
【００２５】
請求項２４の発明の特徴は、時系列データに関連する付随情報を予め蓄積しておく情報蓄積処理と、利用者の端末から入力される時系列データ又は該時系列データを表現した検索時系列信号特徴データの少なくとも一方に基づき、予め蓄積しておいた前記付随情報の中から検索を行って検索された付随情報を出力する検索処理とを具備することにある。
【００２６】
請求項２５の発明の特徴は、前記検索処理は、前記時系列データを受信する検索鍵入力処理と、該検索鍵入力処理において受信した時系列データに基づいて、該時系列データを表現した検索時系列信号特徴データを算出する特徴計算処理と、該検索時系列信号特徴データと比較を行うための時系列信号特徴データを予め蓄積しておく時系列信号特徴蓄積処理と、前記検索時系列信号特徴データを予め蓄積しておいた前記時系列信号特徴データから検索する特徴照合処理と、該特徴照合処理の照合結果に基づいて、予め蓄積しておいた前記付随情報を選択する検索情報選択処理と、該検索情報選択処理において選択した付随情報を出力する情報提示処理とを具備することにある。
【００２７】
請求項２６の発明の特徴は、検索鍵入力処理において入力されたデータの種類を判別し、該入力されたデータが前記検索時系列信号特徴データである場合に、該検索時系列信号特徴データを前記特徴照合処理に出力するデータ判別処理を具備し、前記特徴計算処理を迂回して検索を行うことにある。
【００２８】
請求項２７の発明の特徴は、前記検索処理は、前記時系列データを表現した検索時系列信号特徴データを受信する検索鍵入力処理と、該検索時系列信号特徴データと比較を行うための時系列信号特徴データを予め蓄積しておく時系列信号特徴蓄積処理と、前記検索時系列信号特徴データを予め蓄積しておいた前記時系列信号特徴データから検索する特徴照合処理と、該特徴照合処理の照合結果に基づいて、予め蓄積しておいた前記付随情報を選択する検索情報選択処理と、該検索情報選択処理において選択した付随情報を出力する情報提示処理とを具備することにある。
【００２９】
請求項２８の発明の特徴は、情報提供者の端末から時系列データおよび該時系列データに関連する付随情報を受信した場合、受信した時系列データから時系列信号特徴データを算出する処理と、該時系列信号特徴データおよび受信した前記付随情報により、蓄積されている前記時系列信号特徴データおよび前記付随情報の追加を行う処理とを実行し、時系列信号特徴データおよび付随情報の削除を指示する信号、および、削除すべき時系列信号特徴データおよび付随情報を特定するためのデータを前記情報提供者の端末から受信した場合、該削除すべき時系列信号特徴データおよび付随情報を蓄積されている時系列信号特徴データおよび付随情報からそれぞれ削除する処理を実行する情報更新処理を更に具備し、前記利用者へ提供される前記付随情報の更新を行うことにある。
【００３０】
請求項２９の発明の特徴は、前記情報更新処理は、受信したデータの種類を判別し、該受信したデータが時系列信号特徴データである場合に、受信した時系列信号特徴データおよび前記付随情報により追加を行うことにある。
【００３１】
請求項３０の発明の特徴は、情報提供者の端末から時系列信号特徴データおよび該時系列信号特徴データに関連する付随情報を受信した場合、受信した時系列信号特徴データおよび前記付随情報により、蓄積されている時系列信号特徴データおよび付随情報の追加を行う処理を実行し、時系列信号特徴データおよび付随情報の削除を指示する信号、および、削除すべき時系列信号特徴データおよび付随情報を特定するためのデータを前記情報提供者の端末から受信した場合、該削除すべき時系列信号特徴データおよび付随情報を蓄積されている時系列信号特徴データおよび付随情報からそれぞれ削除する処理を実行する情報更新処理を更に具備し、前記利用者へ提供される前記付随情報の更新を行うことにある。
【００３２】
請求項３１の発明の特徴は、前記利用者の端末から入力された時系列データ又は時系列信号特徴データの少なくとも一方に基づいて、請求項２５又は２６に記載された情報検索方法に従った処理を行い、該入力された時系列データ又は時系列信号特徴データに関連する付随情報を前記利用者に提供することにある。
【００３３】
請求項３２の発明の特徴は、前記付随情報は商品に関する商品情報を含んでおり、前記利用者の端末から送信される商品購入情報を受信する購入情報受信処理と、該購入情報受信処理において受信した前記商品購入情報を前記情報提供者の端末に送信する購入情報送信処理とを有する商品購入処理を更に具備し、前記利用者が前記情報検索方法により得られる前記検索結果に基づいて前記商品を購入するための情報を提供することにある。
【００３４】
請求項３３の発明の特徴は、前記利用者の登録及び認証を行う利用者登録・認証処理を更に具備し、前記商品購入処理において、前記利用者登録・認証処理による登録及び認証の結果に基づいて、登録を許された利用者の端末のみに対して前記商品の購入に関わる情報を出力することにある。
【００３５】
請求項３４の発明の特徴は、前記利用者の端末が前記情報検索方法を用いた情報検索を利用する度合いに応じた利用対価を算出し、前記利用者から徴収するために該利用対価を前記利用者の端末に提示する利用対価算出処理を更に具備することにある。
【００３６】
請求項３５の発明の特徴は、前記利用対価算出処理では、前記利用者の端末から送信されたデータの送信回数及び送信データ量の少なくとも一方に基づいて、前記利用対価を算出することにある。
【００３７】
請求項３６の発明の特徴は、前記利用者の端末が前記情報検索方法を用いた情報検索を利用する度合いに応じた前記情報提供者への情報提供の対価を算出し、該情報提供の対価を前記情報提供者から徴収するために該情報提供の対価を前記情報提供者に提示する情報提供対価算出処理を更に具備することにある。
【００３８】
請求項３７の発明の特徴は、前記情報提供対価算出処理では、前記利用者の端末に送信した購入情報の送信回数および商品の購入金額の少なくとも一方に基づいて、前記情報提供の対価を算出することにある。
【００３９】
請求項３８の発明の特徴は、前記付随情報は、電波またはケーブルまたは計算機ネットワークを介して放送された番組において使用された曲に関する使用曲情報であり、前記時系列データは、該番組または該番組の合間に流されるコマーシャルの一部である断片情報であり、前記利用者の端末から入力された時系列データに関連する前記使用曲情報を前記利用者の端末に通知することにある。
【００４０】
請求項３９の発明の特徴は、前記付随情報は、電波またはケーブルまたは計算機ネットワークを介して放送された番組の提供者が提供する商品に関する商品情報であり、前記時系列データは、該番組または該番組の合間に流されるコマーシャルの一部である断片情報であり、前記利用者の端末から入力された時系列データに関連する前記商品情報を前記利用者の端末に通知することにある。
【００４１】
請求項４０の発明の特徴は、前記付随情報は、ＣＤまたはビデオに関する商品情報であり、前記時系列データは、該ＣＤに収録されている音楽または該ビデオに収録されている音または映像の断片情報であり、前記利用者の端末から入力された時系列データに関連する前記商品情報を前記利用者の端末に通知することにある。
【００４２】
請求項４１の発明の特徴は、前記時系列データは音響信号を含んでいることにある。
請求項４２の発明の特徴は、前記時系列データは映像信号を含んでいることにある。
請求項４３の発明の特徴は、前記利用者の端末である携帯電話から送られる前記時系列データ又は前記時系列信号特徴データの少なくとも一方を受信することにある。
【００４３】
請求項４４の発明の特徴は、時系列データに関連する付随情報を予め蓄積しておく情報蓄積処理と、利用者の端末から入力される時系列データ又は該時系列データを表現した検索時系列信号特徴データの少なくとも一方に基づき、予め蓄積しておいた前記付随情報の中から検索を行って検索された付随情報を出力する検索処理とをコンピュータに実行させることにある。
【００４４】
請求項４５の発明の特徴は、前記検索処理は、前記時系列データを受信する検索鍵入力処理と、該検索鍵入力処理において受信した時系列データに基づいて、該時系列データを表現した検索時系列信号特徴データを算出する特徴計算処理と、該検索時系列信号特徴データと比較を行うための時系列信号特徴データを予め蓄積しておく時系列信号特徴蓄積処理と、前記検索時系列信号特徴データを予め蓄積しておいた前記時系列信号特徴データから検索する特徴照合処理と、該特徴照合処理の照合結果に基づいて、予め蓄積しておいた前記付随情報を選択する検索情報選択処理と、該検索情報選択処理において選択した付随情報を出力する情報提示処理とを具備することにある。
【００４５】
請求項４６の発明の特徴は、請求項４０又は４１に記載されたプログラムを記録したコンピュータ読み取り可能な記録媒体である。
【００４６】
上記発明は、音楽、映画の著作物などの断片情報である時系列データの一部を検索鍵として前記時系列データの関連情報を検索する情報検索方法を用いて、利用者に、蓄積した情報を、音響信号または映像信号の断片お用いて検索させることにより、利用者、情報提供者、または回線事業者から対価を得る営業形態を実現する。
【発明の効果】
【００４７】
以上記述した如く、本発明によれば、音楽、映画の著作物，コマーシャルなどの断片情報である時系列データの一部を検索鍵として前記時系列データの関連情報を検索する情報検索方法を用いて、音響信号または映像信号の断片をもとに蓄積した情報を利用者に検索させることにより、利用者の知りたい情報を容易且つ迅速に検索して配信することができる。また、利用者、情報提供者、または回線事業者から対価を得る営業形態を実現することができる。
【発明を実施するための最良の形態】
【００４８】
以下、本発明の実施形態について図面を用いて説明するが、本発明は以下に説明した実施形態に限定されず、例えば、これら実施形態を適宜組み合わせたものであっても良い。
【００４９】
〔第１実施形態〕
本実施形態では基本的な情報検索システムについて説明する。図１は本発明の一実施形態に係わる情報検索システムの構成例を示したブロック図である。本情報検索システムは、情報提供者（スポンサー）１が保有する情報提供者端末１１と、利用者２が所有する利用者端末１２と、回線事業者３と、検索提供者４と、検索提供者４の提供する情報検索サーバ１５で構成される。そしてこの情報検索システムは、例えば、音楽情報を検索の対象として、検索された音楽情報を前記利用者２の利用者端末１２に配信する営業形態に利用される。この営業形態を計算機ネットワーク上で実施されるオークションに適用したとすれば、オークションの開設者が検索提供者４となり、オークションに商品を出品する者が情報提供者１となり、オークションを利用して商品の購入を希望する者が利用者２となる。
【００５０】
利用者端末１２は、携帯電話やＰＨＳ（登録商標）（パーソナル・ハンディフォン・システム）電話機といった移動電話、ＰＤＡ （Personal Digital Assistants）といった携帯端末、パーソナルコンピュータやワークステーションといったコンピュータなど様々なものが考えられる。要するに、時系列データを情報検索サーバ１５に送信する機能を有するものであれば利用者端末１２として何を利用してもよい。また、情報提供者端末１１はパーソナルコンピュータ，ワークステーションといったコンピュータなどであって、情報検索サーバ１５に対して情報を提供する機能を有するものであれば何を利用しても良い。
【００５１】
ここで、本明細書で言う時系列データとは、所定の再生装置があれば再生することが可能な情報全般を意味している。例えば音楽で言えば、音楽そのものであるアナログデータ，ＣＤに記録されているデータ，ＷＡＶファイルのデータ、ＭＰ３（MPEG-1 Audio Layer III）ファイルのデータ等を示す。また映像で言えば、映像そのものであるアナログデータ，ＭＰＥＧ−２（Moving Picture Experts Group - 2）に代表されるデジタルデータ等を示す。したがって、情報の検索のために使用する検索鍵は、音楽で言えば１曲の中の短いフレーズのような情報（すなわち、音の断片）であり、映像でいえば映画の１シーン，短いセグメント，あるいは１ショットのような情報（すなわち、映像の断片）である。なお、サービスの形態を考えると映像は動画が主体となるが、静止画であっても良いのはもちろんである。
【００５２】
情報検索サーバ１５は、少なくとも情報提供者端末１１および利用者端末１２との間でそれぞれ通信を行うための通信装置１６，１７と、情報検索装置５とにより構成される。なお、厳密に言うと、サーバとはワークステーション等のコンピュータ上においてバックグラウンドで動作する一種のプログラム（プロセス）である。ただ、こうしたプログラムを含むソフトウェアとコンピュータのハードウェアを一体的に見てサーバと呼ぶことも少なくない。そこで、本明細書では利用者２に対してサービスを提供する（ソフトウェアおよびハードウェアを含めた）装置全体をサーバと呼ぶことにする。また図１において、矢印の付いた破線は検索提供の対価としての金銭の流れを示している。また図１では、情報提供者端末１１，利用者端末１２のいずれとの間で各情報が送受信されるのかが理解しやすいように、通信装置を利用者用および情報提供者用に分割しているが、実際にはこれらの機能を統合した１台の通信装置で実現するのが通常である。
【００５３】
次に、情報検索装置５の構成についてその概要を説明する。図２は本発明の情報検索装置（図１の情報検索装置５に相当）の一実施形態を示したブロック図である。情報検索装置５は、情報蓄積部５１、時系列信号特徴蓄積部５２、検索鍵時系列信号入力部５３、特徴計算部５４、特徴照合部５５、検索情報選択部５６及び情報提示部５７で構成され、検索鍵としたい時系列データの一部（例えば、音響信号）を入力とし、検索された情報を出力する。なお、情報検索装置５を構成する各部の機能については後に詳述する。
【００５４】
次に、本実施形態による情報検索サーバ１５の動作について説明する。図１に示した情報提供者１は、テレビ番組，ラジオ番組，映画，ＣＤに収録されている楽曲または映像の少なくとも一方からなる時系列データに基づいて、後述する特徴データの算出方法と同じ方法を用いて、特徴データ（以下、時系列信号特徴データという）を算出し、これを検索提供者４に提供して、情報検索装置５に含まれる時系列信号特徴蓄積部５２（図２を参照）に予め蓄積しておく。併せて、情報提供者１は、算出した時系列信号特徴データに対応する付随情報として、利用者２にとって有益と思われる情報を検索提供者４に提供し、情報検索装置５に含まれる情報蓄積部５１に予め蓄積しておく。
【００５５】
この情報蓄積部５１に蓄積される付随情報は、例えば、番組のタイトル、使用されている楽曲の題名、演奏家の名前、該演奏家にかかる他の楽曲の題名、発売中のＣＤや関連商品等の品番や注文方法などであり、これらの情報を時系列信号特徴データに関連づけて蓄積しておく。あるいは、音楽や映像がＷｅｂ上で入手可能な場合にはこれら音楽や映像が格納されているファイルのＵＲＬ（UniformResource Locator），音楽や映像の内容に関連する情報を公開しているＷｅｂサイトのＵＲＬ，出演者やアーティスト名，音楽や映像がコマーシャルに係るものの場合にはその商品を購入するための注文オーダーフォームなどが、付随情報として挙げられる。
【００５６】
蓄積の技術的方法としては、データベースに関する公知の技術を用いればよい。尚、蓄積する情報のまとまりを本出願では以後「情報単位」と称する。付随情報はこの情報単位ごとに関連づけられている。なお、本実施形態では、利用者２の検索対象がＣＤに収録されている楽曲であって情報単位が１曲である場合を例に挙げて説明する。
【００５７】
次に、利用者２は、自動車内，店舗内，テレビ番組中等で遭遇した音楽（例えば、ラジオ番組や店舗内で流れるＢＧＭ（バックグラウンドミュージック），テレビ番組の挿入歌など）の断片を携帯端末などでキャプチャし、キャプチャされた音響信号や映像信号を検索鍵として、利用者端末１２から回線事業者３の提供する携帯電話等の通信回線を通じて情報検索サーバ１５に送信する。
【００５８】
ここで、利用者２が情報検索サーバ１５へ検索鍵を送信するには、いま述べた手法以外にもＷｅｂページから行う手法などが考えられる。この場合、利用者２は、利用者端末１２を通じて検索提供者４が提供するＷｅｂページ（ホームページ）にアクセスして検索鍵を情報検索サーバ１５にアップロードする。図３は、利用者２が映像に関する情報検索を行うために情報検索サーバ１５上に用意されたＷｅｂページの表示例を示している。なお、同図は映像信号の場合であるが、ここで想定しているＣＤの楽曲（音響信号）に関する付随情報を検索する場合もほぼ同様の表示となる。
【００５９】
図３に示したＷｅｂページは送信ファイル選択セクション，検索範囲選択セクション，付随情報選択セクションおよび検索ボタンで構成されている。送信ファイル選択セクションは、利用者端末１２内に予め記録しておいた映像ファイル（例えば、テレビ放送番組の映像をキャプチャしたもの）の中から、情報検索サーバ１５に送信すべきファイルを選択するためのものであって、ファイル名を入力するためのフィールドとファイル参照ボタンとから構成されている。ファイル名の入力フィールドには、利用者端末１２上に格納されているムービーファイル等のファイル名が入力される。またファイル参照ボタンは、利用者２がファイル名を入力する代わりに、利用者端末１２上に格納されるファイルを選択するためのボタンである。
【００６０】
なお、ムービーファイルは、例えばテレビ番組を録画した映像信号をディジタル化してコンピュータ上に取り込んでその全部または一部を切り出すことにより、周知の方法で作成可能である。また、図３ではＵＮＩＸ（登録商標）の形式に準じてパス名を記述してあるが、例えばＭＳ−Ｗｉｎｄｏｗｓ（登録商標）では"C:＼My Documents＼movies＼uploadfile.mov"等となる。なお、利用者２がファイル名を入力するのに代えて、例えばコンピュータのデスクトップ上に置かれたファイルのアイコンをファイル名の入力フィールド上にドラッグ＆ドロップしてファイルを指定する形態であっても良い。
【００６１】
検索範囲選択セクションは、情報検索サーバ１５によって検索の対象とされる検索範囲を利用者２が指定するためのものであり、例えば、世界中の映像ライブラリからの検索を指定するためのラジオボタンと、日本の映像ライブラリからの検索を指定するためのラジオボタンとで構成される。
【００６２】
付随情報選択セクションは、情報検索サーバ１５から送信される検索結果の内容を指定するためのものであって、利用者２は４つのチェックボックスを任意に選択することができる。これらチェックボックスのうち、「映像ダウンロード」は検索鍵を含む映像の全部を利用者端末１２にダウンロードするためのもの、「関連ＵＲＬ表示」は、検索された映像のファイルが登録されているインターネット上の場所を利用者端末１２の画面上に表示するためのもの、「アーティストまたは出演者情報表示」は例えば検索されたコマーシャルに関する制作者や登場人物などの情報を表示するためのもの、「商品情報購入表示」は例えば映画を収録したビデオ（ＬＤ（登録商標）（レーザディスク）やＤＶＤ（Digital Versatile Disc）なども含む）の価格や購入手順などを利用者端末１２の画面上に表示するためのものである。
【００６３】
そして、利用者２は各セクションについて必要な情報の入力や項目の選択を行ったのちに検索ボタンをクリックして、利用者端末１２から情報検索サーバ１５に検索鍵を送信する。
【００６４】
情報検索サーバ１５は利用者端末１２から送信された検索鍵（音楽の断片）を通信装置１７で受信して情報検索装置５に入力する。情報検索装置５は、利用者端末１２から送信されてきた音楽の断片を検索鍵として情報蓄積部５１に蓄積された付随情報を検索し、該当する付随情報を選択して通信装置１７及び通信回線を通じて利用者端末１２に送信する。これにより、検索された付随情報が利用者端末１２を通じて利用者２に提示される。
【００６５】
ここで、図４は本実施形態の情報検索サーバ１５で行われる情報検索方法の手順を示したフローチャートである。また、図５は図４に記載された処理のうちの検索処理についてその詳細な手順を示したフローチャートである。
【００６６】
まず、情報提供者１は、検索の対象となる付随情報を検索提供者４に提供し、検索提供者４はこの付随情報を情報検索サーバ１５に与えて情報蓄積部５１に蓄積する（ステップＳ１）。また、情報提供者１は、情報蓄積部５１に蓄積した付随情報のそれぞれに関連する時系列信号を表現する特徴データを作成して検索提供者４に提供し、検索提供者４はこの特徴データを時系列信号特徴蓄積部５２に蓄積する（ステップＳ２）。なお、ステップＳ１，Ｓ２の処理順序は逆であっても良い。次に、利用者２は利用者端末１２を操作し、時系列データを検索鍵として情報検索サーバ１５に送信する。情報検索サーバ１５は送信された検索鍵を受信して情報検索装置５に入力する（ステップＳ３）。情報検索装置５は、送信された検索鍵をもとに蓄積された付随情報を検索し、検索された付随情報を検索結果として出力する（ステップＳ４）。情報検索サーバ１５は情報検索装置５から出力される検索結果を利用者端末１２に送信する（ステップＳ５）。
【００６７】
上記ステップＳ４における検索は次のようにして行われる。すなわち、検索鍵時系列信号入力部５３は、所要の情報を検索するための検索鍵となる時系列信号（情報検索サーバ１５が利用者端末１２から受信した楽曲の一部または全部の時系列データ。以下、検索鍵時系列信号という）を受信して特徴計算部５４に入力する（ステップＳ１１，検索特徴時系列受信過程）。特徴計算部５４は、検索鍵時系列信号から、該検索鍵時系列信号を表現する特徴（以下、検索時系列信号特徴データという）を算出して特徴照合部５５に出力する（ステップＳ１２）。特徴照合部５５は、時系列信号特徴蓄積部５２に蓄積された特徴（以下、時系列信号特徴データという）の一部または全部と、特徴計算部５４で導かれた検索時系列信号特徴データの一部または全部を情報単位ごとに照合し、検索時系列信号特徴データと類似する部分を時系列信号特徴蓄積部５２に蓄積された情報の中から見つけ出す（ステップＳ１３，特徴照合過程）。このように、類似部分の検出は特徴照合によって行う。検索情報選択部５６は、特徴照合部５５における照合結果に基づいて、情報蓄積部５１に蓄積されている付随情報の中から、類似部分を含む情報単位に関連づけられている付随情報を選択する（ステップＳ１４，検索結果作成過程）。このように、類似部分検出処理では、検索時系列信号特徴データと予め同様の特徴算出方法により算出されて蓄積された時系列信号特徴データとを情報単位ごとに比較して、検索時系列信号特徴データと類似する部分を時系列信号特徴蓄積部５２から見つけ出している。次に、情報提示部５７は検索情報選択部５６における検索情報選択結果に基づいて検索結果である付随情報を利用者端末１２に向けて送信する（ステップ１５，検索結果送信過程）。
【００６８】
次に、情報検索装置５内の各機能ブロックについて詳述する。情報蓄積部５１には、検索の対象となる音楽情報のうち、利用者２、或いは本実施形態の実施者（情報提供者１，回線事業者３，検索提供者４）にとって有益と思われるものを蓄積しておく。
【００６９】
時系列信号特徴蓄積部５２は、情報蓄積部５１に蓄積した付随情報の各情報単位に対応する音響信号特徴を蓄積する。この音響信号特徴を得るための具体的手法は以下の通りである。まず、情報蓄積部５１に蓄積した付随情報の各情報単位に対応する音楽信号（時系列データ）を用意する。次に、この音楽信号に対して特徴計算部５４が行うのと同様の特徴抽出を行う。特徴抽出には様々な手法が考えられるが、その一具体例として例えば帯域通過フィルタによって実現する手法が挙げられる。
【００７０】
即ち、例えば７個の帯域通過フィルタを用い、それらの中心周波数を対数軸上で等間隔に設定し、６０ミリ秒の時間長の分析窓を１０ミリ秒ずつ移動させながら、分析窓内の各帯域通過フィルタの出力の２乗の平均値を計算し、得られた７個の値を一組にして７次元特徴ベクトルとする。こうした特徴ベクトルを用いることで、抽出される音響特徴として良い結果が得られる。なおこの場合、特徴ベクトルは１０ミリ秒ごとに１つ得られる。時系列信号特徴蓄積部５２は、このように時間に沿って算出された特徴ベクトルの時系列を時系列信号特徴データとして、情報蓄積部５１における付随情報の各情報単位と対応づけて蓄積しておく。
【００７１】
尚、本実施形態の情報検索装置５は、映像特徴を用いることにより映像を検索鍵とした検索にも用いることができる。そこで、時系列データが映像である場合の特徴抽出手法の一具体例を併せて説明しておく。この場合、映像の時系列データをもとにして、例えば映像の１フレームの画像を横に４等分かつ縦に３等分して合計１２の領域に分割し、それぞれの分割（領域）内におけるＲＧＢの各色の画素について画素値の平均を算出する。こうして得られた１２個の領域におけるＲＧＢそれぞれの平均画素値からなる合計３６次元のベクトルを特徴ベクトルとして扱う。こうした特徴ベクトルを用いることで、抽出される映像特徴として良い結果が得られる。
【００７２】
次に、検索鍵時系列信号入力部５３は、利用者２が指定した検索鍵となる音楽信号の断片を通信装置１７を通じて受理して記憶する。例えば、利用者２が携帯電話を用いて検索鍵を指定する場合、検索鍵時系列信号入力部５３は、携帯電話から送られる音響信号を受信する処理と、受信した音響信号（時系列データの一部又は全体）から利用者２が意図した音楽部分を切り出す処理と、該音楽部分を記憶して特徴計算部５４に対してこの音楽信号を出力する処理とを実行することになる。
【００７３】
次に、特徴計算部５４は、始めに、検索鍵時系列信号入力部５３から出力された音楽信号を読み込み、次に、前記音楽信号に対して特徴ベクトルの抽出を行う。この特徴ベクトルの抽出は、時系列信号特徴蓄積部５２に蓄積される時系列信号特徴データを時系列データから算出する場合の説明と同一の方法によって行う。
【００７４】
特徴照合部５５は、始めに、特徴計算部５４から出力された特徴ベクトルの時系列（検索時系列信号特徴データ）を読み込んで、特徴ベクトルのヒストグラムを作成する。ヒストグラムは、例えば、特徴ベクトルの各要素が取りうる値の範囲をいくつかのビン（区間）に分割することによって作成することができる。例えば、各要素が取りうる値の範囲を３つの区間に分割し、各特徴ベクトルの要素数が７であるとすれば、全体のビン数（すなわちヒストグラムの横軸に配置される区間の数）は３の７乗となる。したがって、各特徴ベクトルは、この３の７乗個ある区間のうちのどれか一つに分類されることとなり、それぞれの分類についての特徴ベクトルの個数を数えることにより、特徴ベクトルのヒストグラムを作成できる。
【００７５】
続いて、特徴照合部５５は時系列信号特徴蓄積部５２から出力された特徴ベクトル（時系列信号特徴データ）を対応する情報単位ごとに読み込む。特徴照合部５５は、この情報単位ごとの特徴ベクトルの時系列について、特徴計算部５４から出力された特徴ベクトルの時系列と同じ時間長の注目窓を設定し、この注目窓内の特徴ベクトルに対して、上記検索時系列信号特徴データと同様に特徴ベクトルのヒストグラムを作成する。
【００７６】
続いて、特徴照合部５５は時系列信号特徴蓄積部５２から送られた特徴ベクトルのヒストグラム（以下、参照信号のヒストグラムＨＲという）と特徴計算部５４から送られた特徴ベクトルのヒストグラム（以下、入力信号のヒストグラムＨＩという）との類似度を計算する。参照信号のヒストグラムＨＲと入力信号のヒストグラムＨＩとの類似度ＳＲＩは、次のように定義される。
【００７７】
【数１】
2005025770.tif 000003
【００７８】
但し、Ｌはヒストグラムのビンの総数（上記の例では３の７乗）、Ｄはヒストグラムの総度数、ｈＲｌ，ｈＩｌはそれぞれヒストグラムＨＲ，ＨＩのｌ番目のビンに含まれる特徴ベクトルの数（度数）を表す。また、ｍｉｎ（ｈＲｌ，ｈＩｌ）はｈＲｌ，ｈＩｌのうちの小さい方の値を求めるための関数である。
【００７９】
もし、類似度ＳＲＩの値が予め設定した値を越えている場合は、現在の情報単位における現在の注目窓位置において、検索鍵として入力された信号（時系列データ）が、時系列信号特徴蓄積部５２から読み出されている時系列信号特徴データの元になる信号（時系列データ）とよく類似していることを表す。そこで、現在の情報単位が該当する検索情報であると見なして、現在の情報単位を指定する情報（例えば、情報単位毎に付与された情報単位番号）を検索情報選択部５６に対して出力する。
【００８０】
一方、もし、類似度ＳＲＩの値が予め設定した値以下である場合には、注目窓をずらして、現在の情報単位に対する検索を続行する。その結果、もし注目窓が現在の情報単位に対する時系列信号の終端に達したならば、順次、未検索の情報単位に対する特徴時系列（時系列信号特徴データ）に対して同様に検索を行う。
【００８１】
このほか、特徴照合処理は、例えば特徴ベクトルを直接比較することにより行うこともできる。そこで、時系列データが映像である場合を例にして具体的に説明しておく。この場合には、まず初めに，検索時系列信号特徴データの各特徴ベクトルを展開して高次元特徴ベクトルを求める。検索時系列信号特徴データが例えば１５０フレームであった場合、５４００次元（＝３６×１５０）の高次元特徴ベクトルが得られる。この高次元特徴ベクトルを時系列信号特徴蓄積部５２に蓄積された特徴ベクトルから求めた高次元ベクトル（すなわち、検索時系列信号特徴データのフレーム数と同じ長さの照合窓を時系列信号特徴データにかけて特徴ベクトルを展開することにより得られた高次元特徴ベクトル）と照合する。この照合は，互いの高次元ベクトルのユークリッド距離を求めることで行う。そして、時系列信号特徴データに設けられた照合窓を１フレームごとにずらしながらユークリッド距離を計算し、最もユークリッド距離が小さい部分を類似部分の検出結果とする。
【００８２】
次に、検索情報選択部５６は、始めに、特徴照合部５５から出力された情報単位番号（すなわち、検索された情報単位を指定する情報）を読み込み、この情報を用いて、情報蓄積部５１に蓄積された付随情報にアクセスし、当該情報単位を取得して情報提示部５７に出力する。
【００８３】
次に、情報提示部５７は、検索情報選択部５６から出力された情報単位を読み込み、該情報単位に対し、利用者２にとって見易くするなどの整形を必要に応じて施した後、利用者端末１２に向けて送信することで、利用者端末１２に備えられたディスプレイ装置等により利用者２に提示する。ここで、利用者２に対する情報提示方法は様々なものが考えられる。利用者２が利用者端末１２としてコンピュータを利用している場合、電子メールにより通知する方法があるほか、上述したように、検索のための入出力インタフェースとしてＷｅｂページを採用しているのであれば検索結果をＷｅｂページ上に表示する方法等が考えられる。また、利用者２が利用者端末１２として例えば携帯電話を利用している場合には、音声により通知する方法、携帯電話向けインターネット接続サービス（いわゆるｉモード（登録商標）と呼ばれているサービスなど）を利用した通知方法等が考えられる。なお、検索鍵の入力の際に、図３に示した付随情報選択セクションにより情報選択が行われている場合、情報提示部５７は付随情報の提示の順番を情報選択の条件に合わせて変更して提示する。
【００８４】
図６は、情報検索装置５から送信されたＷｅｂページ形式の検索結果を利用者端末１２上のディスプレイに表示したときの表示例を示している。この表示例では，利用者端末１２を用いてあるテレビコマーシャルをキャプチャし、得られた映像信号から検索特徴時系列データを導いて情報検索サーバ１５に送信した場合について、得られた検索結果を示してある。同図では、検索された付随情報の件数とともに、図３に示した検索範囲選択セクション及び付随情報選択セクションで選択した内容に関わる付随情報として、関連ＵＲＬや商品購入のために必要となる商品購入情報（利用者２の電話番号やサービス開始希望日）の入力フィールドが表示される。
【００８５】
最後に、本例による情報検索サーバ１５の実現性及び具体性を示すために行った実験結果について述べる。本実験では、ワークステーション上に図１に示す情報検索サーバ１５を実現し、３０００曲の楽曲に相当する音響特徴を蓄積し、検索鍵として無作為に選択した１０秒間の楽曲の断片１００個を用いて検索を行った。この結果、検索所要時間は平均２秒、検索精度は１００％の検索結果を得た。ここで、検索精度１００％とは、誤った情報単位を検索結果として出力した場合や、出力すべき情報単位を出力しなかった場合が、ともに生じなかったことを意味している。
【００８６】
〈変形例１〉
これまでの説明では、情報検索サーバ１５に対して音響や映像などの時系列データそのものが入力されることを想定していたが、時系列信号特徴データを情報検索サーバ１５に入力することも可能である。上述したように時系列データそのものを情報検索サーバ１５へ入力する構成では、時系列データのデータ量が膨大であるために、利用者端末１２から情報検索サーバ１５に対して時系列データを転送するために要する時間が無視できなくなる。また、情報検索サーバ１５は、多数の利用者端末から送信される時系列データについて個々に特徴データを算出する必要があるため、情報検索サーバ１５にかかる負荷も大きくなる。こうしたことから、利用者端末１２側で時系列信号特徴データを算出して情報検索サーバ１５に送信するように構成すれば、転送されるデータ量の削減と処理の分散化による情報検索サーバ１５の負荷軽減を図ることができる。
【００８７】
図７は、本変形例による情報検索装置５ａの構成を示したブロック図であって、図２と同じ構成要素には同一の符号を付けている。なお、情報検索装置以外の構成は上述したものと同じである。情報検索装置５ａでは、時系列データの代わりに検索時系列特徴データが検索鍵時系列信号入力部５３に与えられる。また、図２の情報検索装置５に設けられていた特徴計算部５４は存在せず、検索鍵時系列信号入力部５３で受信された検索時系列特徴データが直接特徴照合部５５に入力される。
【００８８】
図８は情報検索装置５ａにおいて行われる情報検索処理の手順を示したフローチャートであって、ステップＳ２１〜Ｓ２４の処理は図５に示したステップＳ１１，Ｓ１３〜Ｓ１５の処理に対応している。なお、図４に示した検索サービス全体の処理は同じである。情報検索装置５ａの動作が情報検索装置５の動作と異なる点は、利用者端末１２から検索時系列特徴データを受信する（ステップＳ２１）点と、受信した検索時系列特徴データをそのまま照合処理に用いる（ステップＳ２２）点である。
【００８９】
本変形例によれば、利用者端末１２と情報検索サーバ１５との間でデータ量の大きな時系列データを転送する必要がなくなる。また、情報検索装置内に特徴計算部５４を設けずに済むため、情報検索装置の構成を簡易にすることができ、特徴データの計算を行わずに済む分だけ情報検索装置の負荷を軽減することができる。
【００９０】
〈変形例２〉
本変形例は、情報検索サーバ１５に与える検索鍵として時系列データ，時系列信号特徴データの双方を入力可能としたものである。図９は、本変形例による情報検索装置５ｂの構成を示したブロック図であって、図２と同じ構成要素には同一の符号を付けている。なお、情報検索装置以外の構成は同じである。情報検索装置５ｂには、検索鍵として時系列データ又は検索時系列特徴データのいずれかが検索時系列信号入力部５３に与えられる。また、情報検索装置５ｂでは情報検索装置５に対してデータ判別部２０が追加されている。このデータ判別部２０は、検索鍵時系列信号入力部５３で受信されたデータが時系列データ，時系列信号特徴データのいずれであるかを判別し、時系列データが入力されている場合にはこの時系列データを特徴計算部５４に出力し、時系列信号特徴データが入力されている場合にはこれを特徴照合部５５ｂに出力して特徴計算部５４をバイパスする。特徴照合部５５ｂは、特徴計算部５４又はデータ判別部２０の何れかによって出力される時系列信号特徴データを受信する点で図２の特徴照合部５５と相違するが、その他の機能は特徴照合部５５と同じである。
【００９１】
図１０は情報検索装置５ｂにおいて行われる情報検索処理の手順を示したフローチャートであって、ステップＳ３１，Ｓ３３〜Ｓ３６の処理は図５に示したステップＳ１１〜Ｓ１５の処理に対応している。なお、図４に示した全体の処理は同じである。情報検索装置５ｂの動作が情報検索装置５の動作と異なる点は、利用者端末１２から時系列データ又は時系列特徴データを受信する（ステップＳ３１）点と、利用者端末１２からデータを受信した場合には受信データの種類を判別（ステップＳ３２）して時系列データであれば特徴計算部５４を用いて特徴データの算出（ステップＳ３３）を行い、時系列信号特徴データであれば特徴データの算出処理をスキップして特徴データの照合処理（ステップＳ３４）に処理を進める点である。
【００９２】
本変形例によれば、情報検索サーバ１５が時系列データ及び時系列信号特徴データのいずれをも受信できるため、ある利用者端末は時系列データをそのまま情報検索サーバ１５に送信し、別の利用者端末は時系列信号特徴データを情報検索サーバ１５に送信するような形態を実現できる。このため、例えば、処理能力が低い利用者端末は時系列データをそのまま送信し、記憶容量が少なく時系列データをそのまま保持しておくだけの余裕がない利用者端末ではデータ量の小さい特徴データだけを保持しておいて情報検索サーバ１５に送信するといった形態が実現できる。
【００９３】
〔第２実施形態〕
本実施形態では、情報検索サーバに対して情報提供者１が新たな情報の登録（追加），削除を可能とするものである。具体的には、情報蓄積部５１（図２を参照）に蓄積される付随情報および時系列信号特徴蓄積部５２に蓄積される時系列信号特徴データを情報提供者端末１１から随時更新可能としたものである。
【００９４】
図１１は本実施形態による情報検索装置５ｃの構成を示したブロック図であって、図２に示したものと同じ構成要素については同一の符号を付けている。なお、情報検索装置以外の構成は第１実施形態と同じである。情報検索装置５ｃでは、図２に示した情報検索装置５に対して情報更新部３０を追加している。また、本実施形態では、情報提供者端末１１から提供される更新情報として時系列データおよびこれに関連する付随情報を情報更新部３０に入力しているほか、更新に関する指示を行うための制御信号を情報更新部３０に入力している。情報受信部３１は受信した時系列データを特徴計算部３２に出力するとともに、受信した付随情報を情報蓄積部５１ｃに出力する。特徴計算部３２は特徴計算部５４と同じ構成であって、受信した時系列データから時系列信号特徴データを算出して時系列信号特徴蓄積部５２ｃに出力する。情報蓄積部５１ｃ及び時系列信号特徴蓄積部５２ｃは、それぞれ図２に示した情報蓄積部５１及び時系列信号特徴蓄積部５２と同様の構成であるが、情報受信部３１を介して入力される制御信号に従って、蓄積している情報を削除可能に構成されている点で相違している。なお、制御信号には情報の削除を指示する削除信号に加えて、削除すべき情報を特定するためのデータが含まれる。
【００９５】
次に、本実施形態の情報検索装置５ｃによる情報更新処理について図１２に示すフローチャートを参照して説明する。
まず最初に情報を追加する場合について説明する。情報提供者１は情報提供者端末１１を操作して、情報を追加する旨の指示とともに追加すべき時系列データ及び付随情報を情報検索サーバ１５に送信する。情報検索サーバ１５では、情報受信部３１が情報提供者端末１１から信号が送信されたことを検知（ステップＳ４１）して、時系列データ及び付随情報を受信しているか否かを調べる（ステップＳ４２）。もし、これらを受信している（同ステップがＹＥＳ）のであれば情報の追加であるため、情報受信部３１は受信した時系列データ，付随情報をそれぞれ特徴計算部３２，情報蓄積部５１ｃに送信する。特徴計算部３２は送られた時系列データをもとに時系列信号特徴データを算出して時系列信号特徴蓄積部５２ｃに送信し、時系列信号特徴蓄積部５２ｃへ時系列信号特徴データを蓄積する（ステップＳ４３）。また、情報蓄積部５１ｃは送られた付随情報を受信して、時系列信号特徴蓄積部５２ｃに追加される時系列信号特徴データと関連づけて蓄積する（ステップＳ４４）。なお、ステップＳ４３，Ｓ４４の処理順序は図示した場合に限られない。
【００９６】
次に、蓄積されている情報を削除する場合について説明する。まず、上記同様にして情報提供者端末１１から受信（ステップＳ４１）した信号に基づいて時系列データ及び付随情報が送られているかどうか調べ（ステップＳ４２）、これらが送られてきていないことを検出（同ステップがＮＯ）すると、情報受信部３１は情報提供者端末１１から送られてくる制御信号に削除信号が含まれているかどうかを調べる（ステップＳ４５）。そして削除信号が含まれていることを検出（同ステップがＹＥＳ）すると、情報受信部３１は情報提供者端末１１から受信した制御信号を情報蓄積部５１ｃ及び時系列信号特徴蓄積部５２ｃに送信する。これにより、時系列信号特徴蓄積部５２ｃは送られてくる制御信号により指定されている時系列信号特徴データを削除（ステップＳ４６）する。また、情報蓄積部５１ｃは送られた制御信号により指定されている付随情報を削除する（ステップＳ４７）。なお、ステップＳ４６，Ｓ４７の処理順序は図示した場合に限定されない。
本実施形態によれば、情報提供者１が検索提供者４を介在させることなく、情報検索サーバ１５に登録した情報を必要に応じて適宜更新することが可能となる。
【００９７】
〈変形例１〉
本変形例は第１実施形態の変形例１（図７）に対応している。すなわち、本変形例では情報提供者１が更新情報として時系列データそのものを提供するのではなく、時系列信号特徴データを提供する。図１３は本変形例による情報検索装置５ｄの構成を示したブロック図であって、図１１と同じ構成要素については同一の符号を付けている。情報検索装置５ｄが図１１の構成と相違する点は、情報更新部３０ｄに入力されるのが時系列データではなく時系列信号特徴データである点と、情報更新部３０ｄが図１１の情報受信部３１と同様に構成されており図１１の特徴計算部３２に相当する構成を具備していない点にある。このため、時系列信号特徴蓄積部５２ｃには、情報更新部３０ｄが情報提供者端末１１から受信した時系列信号特徴データが直接入力される。
【００９８】
図１４は本変形例の情報検索装置５ｄにより行われる情報更新処理の手順を示したフローチャートであり、同図に示したステップＳ５１〜Ｓ５７の処理はそれぞれ図１２のステップＳ４１〜Ｓ４７の処理に対応している。図１４に示した情報更新処理が図１２と相違する点は次の通りである。まず、情報提供者１側では、更新したい時系列データをもとに時系列信号特徴データを算出して、これを付随情報および制御信号とともに情報検索サーバ１５に出力して情報更新部３０ｄに入力する。そして、情報検索サーバ１５に対して情報を追加する場合、情報更新部３０ｄは時系列信号特徴データ及び付随情報を受信したかどうかを調べるようにしている（ステップＳ５２）。次に、時系列信号特徴蓄積部５２ｃに時系列信号特徴データを追加する場合、情報更新部３０ｄは情報提供者端末１１から受信した時系列信号特徴データをそのまま時系列信号特徴蓄積部５２ｃに送信して蓄積する（ステップＳ５３）。
【００９９】
本変形例によれば、情報提供者端末１１と情報検索サーバ１５との間でデータ量の大きな時系列データを転送する必要がなくなるため、情報検索サーバ１５に蓄積されている情報の更新を迅速に行うことが可能となる。また、情報検索装置５ｄの情報更新部３０ｄに特徴計算部３２を設けずに済むため、情報検索装置の構成を簡易にすることができる。
【０１００】
〈変形例２〉
本変形例は第１実施形態の変形例２（図９）に対応している。すなわち、本変形例では、情報提供者１が更新情報として時系列データ又は時系列信号特徴データのいずれかを提供しても良く、これに対応して情報検索サーバ１５で更新情報がいずれのデータであるかを判別して適切な処理を行うようにしている。
【０１０１】
図１５は本変形例による情報検索装置５ｅの構成を示したブロック図であって、図１１と同じ構成要素については同一の符号を付けている。情報検索装置５ｅが図１１の構成と相違する点は、時系列データに加えて時系列信号特徴データが情報更新部３０ｅに与えられる点と、図９に示されているのと同じデータ判別部２０が情報更新部３０ｅに設けられている点と、時系列信号特徴蓄積部５２ｅが特徴計算部３２又はデータ判別部２０のいずれかが出力する時系列信号特徴データを受信可能に構成されている点にある。
【０１０２】
図１６は本変形例の情報検索装置５ｅにより行われる情報更新処理の手順を示したフローチャートである。同図に示したステップＳ６１〜Ｓ６９のうち、ステップＳ６３，Ｓ６６を除く各ステップが図１２のステップＳ４１〜Ｓ４７に対応している。図１６に示した情報更新処理が図１２の処理と相違する点は次の通りである。まず、情報提供者１側では時系列データ又は時系列信号特徴データの何れかを付随情報および制御信号とともに情報検索サーバ１５に出力する。次に、情報検索サーバ１５に対して情報が追加される場合、情報更新部３０ｅは付随情報に加えて時系列データ又は時系列信号特徴データのいずれかが受信されたかどうかを調べる（ステップＳ６２）。情報受信部３１は受信した時系列データ又は時系列信号特徴データをそのままデータ判別部２０に送信していずれのデータであるかを判別（ステップＳ６３）させる。時系列データが受信されていれば、データ判別部２０は時系列データを特徴計算部３２に送出して時系列信号特徴データを算出させて時系列信号特徴蓄積部５２ｅに蓄積する（ステップＳ６４）。これに対して、時系列信号特徴データが受信されているのであれば、データ判別部２０はこれをそのまま時系列信号特徴蓄積部５２ｅに送信して蓄積する（ステップＳ６６）。
本変形例によれば、情報提供者端末１１が更新情報として時系列データ又は時系列信号特徴データの何れかを適宜選択することが可能となる。
【０１０３】
〈変形例３〉
図１１では、説明の都合上、特徴計算部５４とは別に情報更新部３０内に特徴計算部３２を設けていた。しかしこれら２つの特徴計算部の構成は互いに同一であることから、特徴計算部を一つだけ設けて検索鍵時系列信号入力部５３および情報更新部３０でこの特徴計算部を共有して構成を単純化することが好ましい。
【０１０４】
図１７は本変形例による情報検索装置５ｆの構成を示したブロック図であって、図１１に示した構成要素と同じものついては同一の符号を付けてある。情報検索装置５ｆが図１１の構成と相違する点は、情報更新部３０ｆが図１１の情報受信部３１と同様に構成されていて図１１の特徴計算部３２を具備していない点と、特徴計算部５４の代わりに特徴計算部５４ｆが設けられている点にある。特徴計算部５４ｆは、検索鍵時系列信号が検索鍵時系列信号入力部５３から与えられたのであれば、対応する時系列信号特徴データを特徴照合部５５に送信し、情報更新部３０ｆから時系列データが与えられたのであれば、対応する時系列信号特徴データを時系列信号特徴蓄積部５２ｃに送信する。
本変形例の動作は図１１に示した情報検索装置５ｃを用いた場合（図１２のフローチャート）と同様である。
なお、変形例２（図１５）に対して本変形例３を適用するようにしても良い。
【０１０５】
〔第３実施形態〕
本実施形態では、付随情報が商品情報を含んでおり、利用者が検索結果に含まれる商品情報に基づいて商品の購入を可能とする情報検索サーバについて説明する。本実施形態は、例えば利用者がコマーシャルで流れていた楽曲の一部をもとに検索を行い、利用者が店舗に赴くことなくこの楽曲が収録されたＣＤの情報を入手して注文することを可能にするためのものである。
【０１０６】
図１８は、本実施形態による情報検索システムの構成を示したブロック図であって、図１と同じ構成要素については同一の符号を付けている。本実施形態の情報検索サーバ１５ａは、図１に示した情報検索サーバ１５に対して、通信装置１６，１７を通じて情報を送受信する商品購入装置４０を追加している。
【０１０７】
図１９は商品購入装置４０の詳細な構成を示したブロック図である。同図において、利用者通信部４１は図１８に示した通信装置１７を介して利用者端末１２との間で情報を送受信する。同様にして、情報提供者通信部４２は通信装置１６を介して情報提供者端末１１との間で情報を送受信する。利用者登録・認証部４３は、特定の利用者にのみ商品購入サービスを提供するために、各利用者に関わる情報が登録された利用者登録データベース４４を参照して、利用者の登録および認証を行う。商品購入制御部４５は商品購入装置４０内の各部を制御し、利用者通信部４１及び情報提供者通信部４２を通じて利用者端末２や情報提供者端末１との間で情報をやり取りする。なお、利用者登録・認証部４３及び商品購入制御部４５の詳細な機能については後述する動作説明で明らかにする。
【０１０８】
次に、上記構成による情報検索システムにおいて利用者２が商品を購入する場合の動作について説明する。ここで、図２０は商品購入装置４０において実施される処理の手順を示したフローチャートである。また、図２１は利用者端末１２，情報検索サーバ１５ａ，情報提供者端末１１間で授受されるデータの流れを以下の説明に基づいてまとめた説明図である。なお、図２１では情報検索システムに登録された正規の利用者が商品を購入する場合について示してあり、利用者の認証が失敗した場合については特に示していない。
【０１０９】
以下では利用者の検索対象がＣＤに収録されている楽曲である場合を例に挙げて説明を行う。このため、情報検索装置５（図２を参照）内の情報蓄積部５１，時系列信号特徴蓄積部５２は、それぞれ各楽曲の付随情報，各楽曲の時系列信号特徴データを蓄積している。なお、付随情報としてはＣＤのタイトル、ＣＤに収録されている個々の楽曲の題名、演奏家の名前、該演奏家にかかる他の楽曲の題名、関連商品等の品番や注文方法などのＣＤに係る商品情報である。
【０１１０】
まず利用者２は、例えば第１実施形態と同様に、遭遇した音の断片を利用者端末１２を操作して情報検索サーバ１５ａに送信する。情報検索サーバ１５ａは、例えば第１実施形態と同様に検索を行い、利用者２が送信した音の断片に関連する検索結果（曲名およびＣＤタイトル等をはじめとする付随情報）を利用者端末１２に送信する。なお、利用者端末１２に対して検索結果を送信する方法は第１実施形態で説明したのと同様な方法で良い。
【０１１１】
次に、利用者２は、検索結果に示されているＣＤ情報にアクセスしてＣＤを購入するかどうかを決める。すなわち、利用者２は利用者端末１２を操作し、ＣＤ購入のための商品購入情報を情報検索サーバ１５ａに送信してこれを商品購入装置４０に入力する（ステップＳ７１）。ここで、利用者２が商品購入装置４０にアクセスするための方法としては、利用者端末１２を用いた様々な形態が考えられる。幾つかの例を以下に示すが、これらはあくまで一例に過ぎず、本情報検索システムの商品購入装置４０にアクセスすることが可能な方法であればどの様な方法を用いても問題ない。
【０１１２】
まず、利用者端末１２がコンピュータであって、電子メールを利用して情報を送受信しており、なおかつ、ｈｔｍｌ（Hyper Text Markup Language）メールに対応している場合には、ＣＤ情報にＵＲＬ情報を埋め込んでおき、そのＵＲＬ情報を利用者２が利用者端末１２上で選択することによりブラウザを起動して、ＣＤ購入のためのホームページを表示することが考えられる。一方、ｈｔｍｌメールには対応しておらずテキストのみのメールに対応している場合には、ＣＤ情報にそれぞれ個別の番号を付与しておき、題名にその番号を記載した電子メールを送るように指示しておく等の方法が考えられる。他方、Ｗｅｂページを利用している場合には、ｈｔｍｌメールの場合と同様な方法により実現できる。
【０１１３】
利用者端末１２からのアクセスに対して、商品購入装置４０は利用者２の認証を行う。すなわち、図１９に示した利用者登録・認証部４３は、アクセスしてきた利用者２が利用者登録データベース４４に登録されているかどうかを調べ、その結果を商品購入制御部４５に通知する（ステップＳ７２）。この結果に基づき、本情報検索システムを利用して過去に物品を購入したことのある登録済の利用者に対して、商品購入制御部４５は、利用者端末１２に対して、それぞれの利用者に付与したユーザＩＤ（識別番号）の入力を求め、利用者端末１２から送られてくるユーザＩＤに基づいて当該ユーザＩＤに関する利用者登録データベース４４内の利用者データ（例えば、当該ユーザＩＤに対応したパスワード）により認証を行う（ステップＳ７３）。
【０１１４】
一方、本情報検索システムを初めて利用する未登録の利用者に対して、商品購入制御部４５はアクセスしてきた利用者２に対して利用者登録を求める（ステップＳ７４）。この利用者登録を行うにあたっては様々な方法が考えられる。例えば、利用者２が利用者端末１２として携帯電話を利用している場合には、携帯電話番号、住所、氏名、クレジットカード番号等の入力を求める。また、利用者端末１２がコンピュータであって電子メールを利用している場合には、メールアドレス、住所、氏名、クレジットカード番号等の入力を求める。さらに、利用者端末１２がコンピュータであってＷｅｂページを利用している場合には、購入ページアクセス用新規登録ＩＤ、パスワード、住所、氏名、クレジットカード番号等の入力を求める。そして、利用者登録が正常になされた場合には、商品購入制御部４５は利用者２にユーザＩＤを付与してこれを利用者端末２に通知し、同時に利用者登録データベース４４に当該ユーザＩＤおよび利用者端末１２から入力された情報の登録を行う。
【０１１５】
こうして利用者の認証が正常に行われると、商品購入制御部４５は利用者端末１２へ注文内容を送信して利用者２に注文内容の確認を促す（ステップＳ７５）。具体的には、利用者２が注文したＣＤの情報を再度、利用者２に提示して確認を求めることになる。利用者２が注文内容を確認したならば、利用者端末１２を操作して了承情報を情報検索サーバ１５に送信する。利用者２から了承情報を受信すると、商品購入制御部４５は、利用者端末１２に対して注文受付を通知すると共に、利用者２に提示した情報を提供している情報提供者１（または図示を省略したＣＤ販売業者であっても良い）に対してＣＤの発注を行う（ステップＳ７６）。この後、例えばＣＤ販売業者が発注を受け付けると、注文受領と発送予定日の情報を情報検索サーバ１５ａに対して送信してくるので、商品購入制御部４５はこれらを受信して、利用者端末１２へ注文終了と発送予定日を通知する（ステップＳ７７）。以上をもって商品購入処理が終了する。
【０１１６】
なお、サービスにおけるセキュリティの向上または有料化を考える場合には、利用者の登録及び認証を行う利用者認証装置を新たに設けて利用者の管理を行うようにしても良い。この利用者認証装置の構成は公知の技術を利用することで実現可能であり、利用者登録及び認証を行える装置であればどのようなものであっても良く、その構成は特に限定されない。
【０１１７】
〔第４実施形態〕
本実施形態では、利用者から対価を得る機能を備えた情報検索サーバの具体例について説明する。本実施形態の情報検索サーバは、利用者に提供したサービスに対する対価を計算し、これを利用料として利用者に提示するものである。
【０１１８】
図２２は本実施形態による情報検索システムの構成を示したブロック図であって、図１と同じ構成要素については同一の符号を付けている。なお、本実施形態と後述する第５実施形態では対価の算出方法および対価を徴収する対象が異なるだけであるため、図２２にはこれら２つの実施形態を実現可能な構成を示してある。本実施形態の情報検索サーバ１５ｂは、図１に示した情報検索サーバ１５に対して対価算出装置６０を追加している。この対価算出装置６０は、利用者端末１２から情報検索サーバ１５ｂに送られる検索鍵時系列信号（または、検索鍵時系列信号特徴データ）と、情報検索サーバ１５ｂから利用者端末１２に送られる検索結果とを捕捉して対価を算出する。
【０１１９】
図２３は、本実施形態による対価算出装置６０の具体的な構成を示すブロック図である。同図において、受信回数計数部６１は、利用者端末１２から送られてくる時系列データ（または時系列信号特徴データ）を情報検索サーバ１５ｂが受信した回数をカウントして受信回数を出力する。送信回数／件数計数部６２は、情報検索サーバ１５ｂが利用者端末１２に対して検索結果を送信した回数及び送信件数をそれぞれカウントして送信回数及び送信件数を出力する。なお、１回の検索によって複数の件数の付随情報が得られる場合があるため、送信件数は送信回数に等しいかこれよりも大きな値となる。送信データ量計数部６３は、情報検索サーバ１５ｂから利用者端末１２に対して何バイトの検索結果が送信されたかを算出し、これを送信データ量として出力する。購入金額計数部６４は、利用者２が商品を購入した場合における購入金額の総計および購入件数の総数をそれぞれ算出してこれらを出力する。重み付け積算部６５は、４種類の計数部から出力されるデータに対してそれぞれ個別に重み付けを行い、重み付けによって得られた値を積算した結果を対価（本実施形態では利用対価）として出力する。
【０１２０】
対価算出装置６０における利用対価の算出法としては幾つかの方法が考えられ、一例として、利用者に対する検索結果の送信回数，送信件数，送信データ量から算出する方法がある。
【０１２１】
図２４は、本実施形態の対価算出装置６０による利用対価の算出手順を示したフローチャートである。利用者端末１２は例えば第１実施形態で説明したように情報検索サーバ１５ｂを利用して情報検索を行う。この情報検索と並行して、送信回数／件数計数部６２，送信データ量計数部６３は、情報検索サーバ１５ｂから出力される検索結果を取り込んで、利用者端末１２に送信される検索結果の回数及び件数とデータ量とを求めてそれぞれ重み付け積算部６５に出力する（ステップＳ８１）。これらをもとにして重み付け積算部６５が利用対価を算出（ステップＳ８２）すると、この利用対価が利用者端末１２に送信されて利用者２に提示される（ステップＳ８３）。
【０１２２】
〔第５実施形態〕
本実施形態では、情報提供者に課金を行って情報提供者から情報提供の対価を得る機能を備えた情報検索サーバの具体例を説明する。本実施形態の情報検索サーバは、利用者に提供したサービスに対する対価を計算し、これを情報提供または販売促進の対価として情報提供者に料金の提示を行うようにしている。
本実施形態による情報検索システムの構成、および、対価算出装置の構成は第４実施形態と同じである。また、対価算出装置６０（図２２を参照）における情報提供対価の算出法としては幾つかの方法が考えられる。一例として、利用者端末１２に対する購入情報の送信回数や商品の購入金額から算出する方法等がある。
【０１２３】
図２５は、本実施形態の対価算出装置６０による情報提供対価の算出手順を示したフローチャートである。利用者２は利用者端末１２により例えば第１実施形態で説明したように情報検索サーバ１５ｂを利用して情報の検索を行う。この情報検索と並行して、購入金額計数部６４（図２３を参照）は、情報検索サーバ１５ｂから出力される検索結果をとりこんで、利用者２が購入する商品の購入金額の総計および購入件数の総数をそれぞれ求めて重み付け積算部６５に出力する（ステップＳ９１）。これをもとに重み付け積算部６５が情報提供対価を算出（ステップＳ９２）して情報提供者端末１１に送信し、情報提供者１に対して情報提供対価を提示する（ステップＳ９３）。
【０１２４】
〔まとめ〕
以上説明したように、本発明の各実施形態によれば、蓄積された付随情報に対して音や映像などの具体的な時系列信号の断片を検索鍵として検索することができるため、（１）曲名の分からない音楽に関する情報、（２）題名の分からない映画に関する情報及び（３）コマーシャルの断片による詳細な商品情報などを容易且つ迅速に検索して提供することができる。従って、例えば、歌手の情報及びＣＤなどに記録されている音楽に関連する商品情報のような予め定めた情報を蓄積したデータベースを、具体的なメディア情報の断片を検索鍵として利用者に検索させることにより、利用者の興味ある情報を選択して提示し、該利用者から情報提供料を得たり、該情報の提供者から販売促進の対価を得たりすることが可能である。
【０１２５】
それ故、（１）有益な情報が提供されたことに対する対価としての利用者２から検索提供者４への金銭の流れ、（２）宣伝及び販売促進の効果に対する対価としての情報提供者１から検索提供者４への金銭の流れの少なくとも一つを生じさせることができる。
【０１２６】
尚、本例は、情報提供者１や回線事業者３自身が、前記検索の機能を提供する場合も含まれる。また、前記データベースは、単一のコンピュータ上に実現されたものばかりではなく、例えばインターネット等のコンピュータネットワークに接続された多数のコンピュータが分散してデータを蓄積するような形態の分散型データベースも含まれる。
【０１２７】
更に、上述したように本発明の検索対象は音楽等の音響信号に限定されることはなく、映画等やコマーシャルの映像信号に対して、それぞれに係る断片情報である時系列データの一部によって、関連する情報を容易且つ迅速に検索して配信することができる。なお、音響信号および映像信号をともに含むコンテンツに対して音響信号および映像信号の断片をもとにした検索を同時に行っても良い。
【０１２８】
上述した情報検索サーバ内の各部が具備している機能は、実際にはいずれもコンピュータによって実現できる。そのためには、本発明の各実施形態の動作をコンピュータにより実行させるためのプログラムをコンピュータにより読み取り可能な記録媒体に記録し、この記録媒体に記録されたプログラムをコンピュータに読み込ませて実行させることにより、本発明の各実施形態の機能を実現にしてもよい。ここでいうコンピュータシステムとは、ＯＳ（オペレーティングシステム）に加えて周辺機器等のハードウェアを含むものとする。またＷＷＷ（World Wide Web）システムを利用している場合であれば、コンピュータはホームページ提供環境（あるいはその表示環境）を含むものとする。上記プログラムは、前述した機能の一部を実現するものでも良く、さらにコンピュータにすでに記録されているプログラムとの組み合わせでかかる機能を実現するもの（いわゆる差分プログラム）でも良い。コンピュータ読み取り可能な記録媒体は、フレキシブルディスク，光磁気ディスク，ＲＯＭ（読み出し専用メモリ），ＣＤ−ＲＯＭ等の可搬媒体、コンピュータシステムに内蔵されるハードディスク等の記憶装置のことを指す。あるいはコンピュータ読み取り可能な記録媒体は、インターネット等のネットワークや電話回線等の通信回線を介してプログラムを送信する場合の通信線のように、短時間の間だけ動的にプログラムを保持するものや、サーバやクライアントとなるコンピュータシステム内部の揮発性メモリのように、一定時間プログラムを保持しているものも含む。
【０１２９】
上述した各実施形態では、利用者端末，情報検索サーバ，情報提供者端末が通信回線を通じて接続されていたが、電波（無線），ケーブル（有線）あるいは計算機ネットワークなど情報を伝送する媒体であればどのようなものであっても良い。また、このことは利用者が得る時系列データについても同様である。
【０１３０】
上記各実施形態やそれらの変形例を任意に組み合わせても良い。例えば、第１実施形態の変形例１や変形例２を第２実施形態の変形例１〜変形例３と組み合わせても良い。さらには、第１実施形態の変形例２（図９）と第２の実施形態の変形例２（図１５）との組み合わせに対し、図１７に準じてデータ判別部および特徴計算部を検索鍵時系列信号入力部と情報更新部とで共有するように構成しても良い。
【図面の簡単な説明】
【０１３１】
【図１】本発明の第１実施形態による情報検索システムの構成を示したブロック図である。
【図２】同実施形態による情報検索装置の構成を示したブロック図である。
【図３】同実施形態において利用者が情報検索を行うためのＷｅｂページの表示例を示した説明図である。
【図４】同実施形態による情報検索方法の手順を示したフローチャートである。
【図５】図４に示した検索処理の具体的な手順を示したフローチャートである。
【図６】同実施形態における情報検索装置から送信されるＷｅｂページ形式の検索結果の表示例を示した説明図である
【図７】本発明の第１実施形態の変形例１による情報検索装置の構成を示したブロック図である。
【図８】同変形例１による情報検索処理の手順を示したフローチャートである。
【図９】本発明の第１実施形態の変形例２による情報検索装置の構成を示したブロック図である。
【図１０】同変形例２による情報検索処理の手順を示したフローチャートである。
【図１１】本発明の第２実施形態による情報検索装置の構成を示したブロック図である。
【図１２】同実施形態の情報検索装置内に蓄積されている情報の更新処理の手順を示したフローチャートである。
【図１３】本発明の第２実施形態の変形例１による情報検索装置の構成を示したブロック図である。
【図１４】同変形例１による更新処理の手順を示したフローチャートである。
【図１５】本発明の第２実施形態の変形例２による情報検索装置の構成を示したブロック図である。
【図１６】同変形例２による更新処理の手順を示したフローチャートである。
【図１７】本発明の第２実施形態の変形例３による情報検索装置の構成を示したブロック図である。
【図１８】本発明の第３実施形態による情報検索システムの構成を示したブロック図である。
【図１９】同実施形態における商品購入装置の詳細な構成を示したブロック図である。
【図２０】同商品購入装置で行われる商品購入処理の手順を示したフローチャートである。
【図２１】同実施形態において、利用者端末，情報検索サーバ，情報提供者端末間におけるデータの流れを示した説明図である。
【図２２】本発明の第４実施形態による情報検索システムの構成を示したブロック図である。
【図２３】同実施形態における対価算出装置の構成を示したブロック図である。
【図２４】同実施形態における利用対価の算出手順を示したフローチャートである。
【図２５】同実施形態における情報提供対価の算出手順を示したフローチャートである。
【符号の説明】
【０１３２】
１  情報提供者  ２  利用者  ３  回線事業者  ４  検索提供者  ５，５ａ〜５ｅ  情報検索装置１１  情報提供者端末１２  利用者端末１５，１５ａ，１５ｂ  情報検索サーバ１６，１７  通信装置２０  データ判別部３０，３０ｄ，３０ｅ  情報更新部３１  情報受信部３２  特徴計算部４０  商品購入装置４１  利用者通信部４２  情報提供者通信部４３  利用者登録・認証部４４  利用者登録データベース４５  商品購入制御部５１，５１ｃ  情報蓄積部５２，５２ｃ，５２ｅ  時系列信号特徴蓄積部５３  検索鍵時系列信号入力部５４，５４ｆ  特徴計算部５５，５５ｂ  特徴照合部５６  検索情報選択部５７  情報提示部６０  利用対価算出装置６１  受信回数計数部６２  送信回数／件数計数部６３  送信データ量計数部６４  購入金額計数部６５  重み付け積算部
【図１】
2005025770.tif 000004
【図２】
2005025770.tif 000005
【図３】
2005025770.tif 000006
【図４】
2005025770.tif 000007
【図５】
2005025770.tif 000008
【図６】
2005025770.tif 000009
【図７】
2005025770.tif 000010
【図８】
2005025770.tif 000011
【図９】
2005025770.tif 000012
【図１０】
2005025770.tif 000013
【図１１】
2005025770.tif 000014
【図１２】
2005025770.tif 000015
【図１３】
2005025770.tif 000016
【図１４】
2005025770.tif 000017
【図１５】
2005025770.tif 000018
【図１６】
2005025770.tif 000019
【図１７】
2005025770.tif 000020
【図１８】
2005025770.tif 000021
【図１９】
2005025770.tif 000022
【図２０】
2005025770.tif 000023
【図２１】
2005025770.tif 000024
【図２２】
2005025770.tif 000025
【図２３】
2005025770.tif 000026
【図２４】
2005025770.tif 000027
【図２５】
2005025770.tif 000028